(57)【特許請求の範囲】
【請求項１】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御手段と、
動画の撮影中に、前記第一の撮影期間から前記第二の撮影期間へ切り換わる時点、または前記第二の撮影期間から前記第一の撮影期間へ切り換わる時点に関する情報表示を前記動画の撮影中に表示する表示制御手段とを有することを特徴とする電子機器。
【請求項２】
前記情報表示は、動画の撮影開始からの現在までの経過時間と前記切り換わる時点を示すバー表示であることを特徴とする請求項１に記載の電子機器。
【請求項３】
前記バー表示は予め定められた動画の撮影時間における動画の撮影開始から現在までの経過時間の割合を示す表示であることを特徴とする請求項２に記載の電子機器。
【請求項４】
前記情報表示は、時間表記であることを特徴とする請求項１に記載の電子機器。
【請求項５】
前記特定の効果は、撮影した動画の再生速度が前記特定の効果をかけない場合の再生時と異なるようにする効果であることを特徴とする請求項１乃至４の何れか１項に記載の電子機器。
【請求項６】
前記特定の効果は、逆方向再生であることを特徴とする請求項１乃至５の何れか１項に記載の電子機器。
【請求項７】
前記バー表示を区切る線によって前記第一の撮影期間と前記第二の撮影期間の切り換わり時点を示すことを特徴とする請求項２または３に記載の電子機器。
【請求項８】
前記特定の効果は、撮影時間のうち最後の所定期間に撮影された動画にかかる効果であることを特徴とする請求項１乃至７の何れか１項に記載の電子機器。
【請求項９】
前記表示制御手段は、撮影時間を設定する設定画面と動画の開始指示を受け付ける待機画面との表示が可能であり、
前記設定画面が表示されている際に動画の撮影の開始指示を受け付けた場合には前記動画の撮影が終了したことに応じて前記設定画面を表示し、
前記待機画面が表示されている際に動画の撮影の開始指示を受け付けた場合には前記動画の撮影が終了したことに応じて前記待機画面を表示することを特徴とする請求項１乃至８の何れか１項に記載の電子機器。
【請求項１０】
前記撮像制御手段は、所定時間が経過する前に動画の撮影停止指示を受け付けた場合には、前記情報表示を非表示にして動画の撮影を前記所定時間が経過するまで継続することを特徴とする請求項１乃至９の何れか１項に記載の電子機器。
【請求項１１】
前記表示制御手段は、動画の終了を示すための効果のかかる期間についての前記情報表示は行わないことを特徴とする請求項１乃至１０の何れか１項に記載の電子機器。
【請求項１２】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御手段と、
動画の撮影中に、前記第一の撮影期間から前記第二の撮影期間へ切り換わる時点、または前記第二の撮影期間から前記第一の撮影期間へ切り換わる時点に対応する通知を発音により前記動画の撮影中に行う発音制御手段とを有することを特徴とする電子機器。
【請求項１３】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御手段と、
動画の撮影中に、前記第一の撮影期間から前記第二の撮影期間へ切り換わる時点、または前記第二の撮影期間から前記第一の撮影期間へ切り換わる時点に対応する通知を発光により前記動画の撮影中に行う発光制御手段とを有することを特徴とする電子機器。
【請求項１４】
前記通知は前記第一の撮影期間の開始前に行われることを特徴とする請求項１２または１３に記載の電子機器。
【請求項１５】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御ステップと、
動画の撮影中に、前記第一の撮影期間から前記第二の撮影期間へ切り換わる時点、または前記第二の撮影期間から前記第一の撮影期間へ切り換わる時点に関する情報表示を前記動画の撮影中に表示する表示制御ステップとを有することを特徴とする電子機器の制御方法。
【請求項１６】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御ステップと、
動画の撮影中に、前記第一の撮影期間から前記第二の撮影期間へ切り換わる時点、または前記第二の撮影期間から前記第一の撮影期間へ切り換わる時点に対応する通知を発音により前記動画の撮影中に行う発音制御ステップとを有することを特徴とする電子機器の制御方法。
【請求項１７】
少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御ステップと、
動画の撮影中に、前記第一の撮影期間から前記第二の撮影期間へ切り換わる時点、または前記第二の撮影期間から前記第一の撮影期間へ切り換わる時点に対応する通知を発光により前記動画の撮影中に行う発光制御ステップとを有することを特徴とする電子機器の制御方法。
【請求項１８】
コンピュータを、請求項１乃至１４のいずれか１項に記載された電子機器の各手段として機能させるためのプログラム。
【請求項１９】
コンピュータを、請求項１乃至１４のいずれか１項に記載された電子機器の各手段として機能させるためのプログラムを格納したコンピュータが読み取り可能な記録媒体。
【発明の詳細な説明】
【技術分野】
【０００１】
本発明は、動画の撮影中に所定の時点を通知する技術に関する。
【背景技術】
【０００２】
動画の撮影中に、撮影開始からの経過時間や、その他の情報を表示する技術が知られている。
【０００３】
特許文献１には、撮影する画像に特殊効果を加える画像処理をして動画を記録すること、かかる効果を表示することが記載されている。
【先行技術文献】
【特許文献】
【０００４】
【特許文献１】特開２０１３−８１１１０号公報
【発明の概要】
【発明が解決しようとする課題】
【０００５】
所定の効果をかけることを意図した動画の撮影においては、かかる効果に合わせて撮影を行うことでよりユーザにとって面白いと感じる動画を作成することができる。特許文献１では、ユーザは特殊効果のかかる動画の撮影かどうかを知ることができるが、どの期間に特殊効果がかかるのか分からない。よって、効果のかかるタイミングに合わせて撮影を行う場合には、そのタイミングを把握することができない。
【０００６】
本発明は、上記の課題に鑑み、所定の効果をかけることを意図した動画の撮影中に、ユーザが効果のかかる部分の開始または終了の時点を容易に把握することのできる電子機器の提供を目的とする。
【課題を解決するための手段】
【０００７】
上記目的を達成するために、本発明の電子装置は、少なくとも特定の効果をかけるための第一の撮影期間と、前記特定の効果をかけない期間であって、前記第一の撮影期間と隣り合った期間である第二の撮影期間とを含む動画を１回の撮影期間に撮影するように制御する撮像制御手段と、動画の撮影中に、前記第一の撮影期間から前記第二の撮影期間へ切り換わる時点、または前記第二の撮影期間から前記第一の撮影期間へ切り換わる時点に関する情報表示を前記動画の撮影中に表示する表示制御手段とを有することを特徴とする。
【発明の効果】
【０００８】
本発明によれば、所定の効果をかけることを意図した動画の撮影中に、ユーザが効果のかかる部分の開始または終了の時点を容易に把握することができる。
【図面の簡単な説明】
【０００９】
【図１】本発明の実施形態の構成を適用可能な装置の一例としてのデジタルカメラの外観図。
【図２】本発明の実施形態の構成を適用可能な装置の一例としてのデジタルカメラの構成例を示すブロック図。
【図３】本発明において動画にかけることのできる効果の一例であるリプレイを説明する図。
【図４】第一実施形態におけるリプレイ撮影のフローチャート。
【図５】本実施形態における表示部における表示例を示す図。
【図６】本実施形態における進捗バーの表示例を示す図。
【図７】本実施形態における撮影中の表示例を示す図。
【図８】本実施形態における進捗バーの他の表示例を示す図。
【図９】第二実施形におけるリプレイ撮影のフローチャート。
【発明を実施するための形態】
【００１０】
以下、図面を参照して本発明の好適な実施形態を説明する。
【００１１】
＜第１実施形態＞
図１は本発明の電子機器の一例としてのデジタルカメラ１００の外観図を示す。表示部２８は画像や各種情報を表示する表示部である。表示部２８と重畳するようにタッチパネル７０ａが設けられており、ユーザからのタッチ操作を受け付ける。
【００１２】
シャッターボタン６１は撮影指示を行うための操作部である。モードダイヤル６０は各種モードを切り替えるための操作部である。コネクタ１１２は例えばＰＣやプリンタと接続するための接続ケーブル１１１とデジタルカメラ１００に接続するためのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１３】
メインダイヤル７７は操作部７０に含まれる回転操作部材であり、このメインダイヤル７７を回すことで、シャッター速度や絞りなどの設定値の変更等が行える。また、メインダイヤル７７の回転操作によりメニュー画面等における選択項目の移動も可能であり、右回転をすると選択項目が右側もしくは下側へ移動し、左回転をすると選択項目が左側もしくは上側へ移動する。
【００１４】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいて後述するシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００１５】
十字キー７８は操作部７０に含まれ、上、下、左、右部分をそれぞれ押し込み可能な十字キー（４方向キー）である。十字キー７８の押した部分に応じた操作が可能である。十字キー７８の上キーには、ＩＳＯボタン７５がわりあたっておりＩＳＯボタン７５への押下によりＩＳＯ値の変更を行うことができる。
【００１６】
ＳＥＴボタン７４は操作部７０に含まれ、押しボタンであり、主に選択項目の決定などに用いられる。ＲＥＣボタン７６は操作部７０に含まれ、動画の撮影の開始指示及び終了指示を行うことができる。再生ボタン６３は操作部７０に含まれ、撮影モードと再生モードとを切り替える操作ボタンである。撮影モード中に再生ボタン６３を押下することで再生モードに移行し、記録媒体２００に記録された画像のうち最新の画像を表示部２８に表示させることができる。
【００１７】
ＦＵＮＣボタン４０は操作部７０に含まれる押しボタンであり、主に選択・設定可能な機能や変更可能な撮影モードの呼び出し等に用いられる。メニューボタン４１は、操作部７０に含まれる押しボタンであり、主に押下時のデジタルカメラ１００のモードに応じた設定を行うメニュー画面を表示することができる。
【００１８】
図２は、本実施形態によるデジタルカメラ１００の構成例を示すブロック図である。
【００１９】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー画像表示）を行える。
【００２３】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２４】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２５】
システムタイマー５３は各種制御に用いる時間や、内蔵された時計の時間を計測する計時部である。
【００２６】
モードダイヤル６０、シャッターボタン６１、操作部７０はシステム制御部５０に各種の動作指示を入力するための操作手段である。モードダイヤル６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイヤル６０で、メニュー画面に含まれるこれらのモードのいずれかに直接切り替えられる。あるいは、モードダイヤル６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理（撮像制御）の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン４１が押されると各種の設定可能なメニュー画面が表示部２８に表示される。ユーザは、表示部２８に表示されたメニュー画面と、上下左右の４方向ボタンやＳＥＴボタン７４とを用いて直感的に各種設定を行うことができる。
【００２９】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
【００３０】
タッチダウンが検出されると、同時にタッチオンであることも検出される。タッチダウンの後、タッチアップが検出されない限りは、通常はタッチオンが検出され続ける。
【００３１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。電源スイッチ７２はデジタルカメラ１００の電源のＯＮ及びＯＦＦを切り替える操作部材である。
【００３３】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３４】
発音部５５は、発音（音声出力）をするスピーカー等の発音部であり、セルフタイマー等の警告を行ったり、動画の再生時に記録されている音声を発音したりすることができる。
【００３５】
発光部５７は、ユーザに対する警告やデジタルカメラ１００周辺を明るくするために発光するＬＥＤライト等の発光部である。
【００３６】
次に図３を用いてリプレイ撮影について説明する。リプレイ撮影は、最後の２秒間の再生速度が変わるように再生される動画の作成方法及びリプレイ効果をかけて再生される動画の撮影である。また、リプレイ撮影及び、その他の倍速撮影においては、撮影時間４秒、５秒、６秒のいずれかからユーザが撮影時間を選択可能である。図３には、撮影時間４秒の場合のリプレイ撮影の記録と作成される動画について、撮影時間と再生時間における再生部分を時間経過に基づいて説明した図である。また、記録時の動画を４つに分け、撮影時のフレームレートを３０ｆｐｓとして示し、それぞれの期間に撮影された動画がどのように再生されるのかを示している。記録開始から１秒間をａ期間（１〜３０コマ）、１秒から２秒の１秒間をｂ期間（３１〜６０コマ）、２秒から３秒の１秒間をｃ期間（６１〜９０コマ）、３秒から４秒の１秒間をｄ期間（９１〜１２０コマ）とする。ａ、ｂ期間の部分は、記録時間と再生時間が同じになるように、それぞれ再生時間もＡ、Ｂのそれぞれ１秒間になる。次に、ｃ、ｄ期間の部分も、それぞれの撮影時間１秒間と同じ再生時間であるＣ、Ｄのそれぞれ１秒間になる。さらに再生時間のＥ期間に示すように、ｃ、ｄ期間に撮影された動画（２秒間）を逆から（撮影時間４秒から２秒に戻るように）、かつ倍速で再生する。よって、Ｅ期間（再生時間）は２秒間の半分の１秒間となる。さらにこの後、Ｆ期間に示すようにｃ、ｄ期間に撮影された動画を撮影した時間軸と同じように、かつ１／２の再生速度で再生する。よって、Ｆ期間（再生時間）は２秒間の倍の４秒間となる。つまり、１〜１２０コマがまず順次再生（１、２、３、・・・１１９、１２０の順で再生）され、Ｅ期間で６０〜１２０コマが逆から倍速で再生される（１２０、１１８、１１６・・・・６４、６２、６０の順で再生）。さらに、Ｆ期間で６０〜１２０コマのコマがスロー再生（６０、６０、６１、６１、・・・・１１９、１１９、１２０、１２０の順で再生）される。すなわち、撮影時（記録時）の期間のうち、ｃ、ｄ期間がリプレイ効果のかかる期間となる。このように、撮影された動画の一部の再生期間の再生速度を変更したり、逆再生（逆方向再生）することでユーザにとって面白いと感じる効果を含む動画が作成される。また再生速度が変わるのに合うように撮影期間ｃ、ｄ期間にタイミングを合わせて撮影を行うことでさらにユーザにとって面白いと感じる動画になる。図３では、ある特殊な効果（本例ではリプレイ）をかける期間が（撮影期間のうち）最後の２秒間である例を示したが、撮影期間のうちの途中の期間であってもよく、さらに１回でなくても複数回効果をかける期間があってもよい。
【００３７】
リプレイ撮影は短編動画撮影に含まれる再生速度を変更する効果のうちの１つである。デジタルカメラ１００で行える短編動画撮影では、撮影時間を４秒、５秒、６秒から選択可能であり、さらに再生速度をスロー（１／２倍）、等倍（１倍）、倍速（２倍）、リプレイ（逆倍速再生、スロー再生含む）から選択可能である。撮影時間及び再生速度を予めユーザの所望の設定値にした後に撮影を行うと、所望の効果を含む動画が作成される。
【００３８】
なお、リプレイ効果以外であるスロー再生、等倍再生、倍速再生は撮影される期間の全てを同一の再生速度で再生するものであり、撮影される期間の一部の再生速度を同じ動画の他の期間と異なるように再生するものではない。
【００３９】
図４を用いて第一実施形態におけるリプレイ撮影のフローを説明する。図４のフローは、デジタルカメラ１００に電源が入り、モードダイヤル６０への回転操作により動画モードに設定され、さらにＦＵＮＣボタン４０が押下され短編動画を撮影するショートクリップ動画撮影モードが選択されると開始する。この処理は、不揮発性メモリ５６に記録されたプログラムをシステムメモリ５２に展開してシステム制御部５０が実行することで実現する。
【００４０】
Ｓ４０１では、システム制御部５０は、撮影待機画面（ライブビュー画面、スルー画面）を表示部２８に表示する。図５（ａ）−１、（ａ）−２に示すようにライブビュー画像５０３を表示する。この撮影待機画面が表示されている場合には撮影指示を受けたことに応じて撮影を行うことができる。
【００４１】
Ｓ４０２では、システム制御部５０は、設定中の撮影時間と再生速度の設定値もしくは設定項目を表示部２８に表示する。図５（ａ）−１の効果項目５０１のうち、撮影時間５０４は５秒間、再生速度設定５０５（効果）はリプレイが現在設定されていることを示している。また、ＩＳＯボタン表示５１４はＩＳＯボタン７５を押下すると設定の変更が可能であることを示すための表示である。図５（ａ）−２では、効果項目５０１のうち、撮影時間５０６は４秒、再生速度設定５０５は倍速が現在設定されていることを示している。
【００４２】
Ｓ４０３では、システム制御部５０は、ＦＵＮＣボタン４０が押下されたか否かを判定する。ＦＵＮＣボタン４０が押下されたと判定した場合は、Ｓ４０４へ進み、そうでない場合は、Ｓ４０５へ進む。動画撮影モードのうちいずれかのモードが選択されている場合にＦＵＮＣボタン４０が押下されると、他の動画撮影モードを選択できる状態になる。
【００４３】
Ｓ４０４では、システム制御部５０は、その他の動画撮影モードを選択する画面に移行する。その他の動画撮影モードには、マニュアル撮影、露出補正撮影等がある。ここで、再びショートクリップ動画撮影モードが選択された場合には、Ｓ４０１へ戻る。その他の動画撮影モードにおいては予め撮影時間を設定しなくてもよい。また撮影時間が設定されない場合には、後述する進捗バーの表示は行わずに撮影開始後の経過時間を表示部２８に表示する。その他の動画撮影モードの詳細の処理については割愛する。
【００４４】
Ｓ４０５では、システム制御部５０は、モードダイヤル６０への操作があったか否かを判定する。モードダイヤル６０への操作があったと判定した場合は、Ｓ４０６へ進み、そうでない場合は、Ｓ４０７へ進む。
【００４５】
Ｓ４０６では、システム制御部５０は、その他の撮影モードに移行する。その他の撮影モードには、静止画撮影モードを含むマニュアルモード、プログラムモード、星空モード等がある。その他の撮影モードにおいて、再び動画モードが選択され、さらにショートクリップ動画撮影モードが選択された場合には、Ｓ４０１へ戻る。
【００４６】
Ｓ４０７では、システム制御部５０は、終了処理がされたか否かを判定する。終了処理がされたと判定した場合は、撮影モードを終了し、そうでない場合はＳ４０８へ進む。終了処理とは、再生ボタン６３の押下による再生モードへの切替、メニューボタン４１への押下によるメニュー画面への切替、もしくは電源スイッチ７２への押下による電源のＯＦＦ等が含まれる。
【００４７】
Ｓ４０８では、システム制御部５０は、ＩＳＯボタン７５への押下もしくは効果項目５０１へのタッチがされ、効果項目の設定部の表示指示がされたか否かを判定する。効果項目の設定部の表示指示がされたと判定した場合は、Ｓ４２４へ進み、そうでない場合は、Ｓ４０９へ進む。
【００４８】
Ｓ４０９では、システム制御部５０は、ＲＥＣボタン７６への押下があったか否かを判定する。ＲＥＣボタン７６への押下があった（動画の撮影の開始指示を受付た）と判定した場合は、Ｓ４１０へ進み、そうでない場合は、Ｓ４０３へ戻る。
【００４９】
Ｓ４１０では、システム制御部５０は、システムタイマー５３により撮影時間ｔの計測を開始する。
【００５０】
Ｓ４１１では、システム制御部５０は、撮影中マークを表示する。図６（ａ）〜（ｄ）に示すように表示部２８に撮影中であることを示す撮影中マーク６０２を表示する。図６（ａ）〜（ｄ）は撮影中の表示部２８の表示例を示したものである。図６（ａ）はリプレイ以外の再生速度の効果が設定された場合の（リプレイ撮影以外の）撮影中（ｔ＝０）の表示例、図６（ｂ）〜（ｄ）はリプレイの効果が設定された場合の撮影中（ｔ＝０）の表示例である。撮影中の画像６０１は、現在撮影している画像を表示している。
【００５１】
Ｓ４１２では、システム制御部５０は、設定中の再生速度の効果がリプレイであるか否かを判定する。リプレイであると判定した場合は、Ｓ４１３へ進み、そうでない場合は、Ｓ４１５へ進む。
【００５２】
Ｓ４１３では、システム制御部５０は、進捗バー（バー表示）の区切り位置を決定する。進捗バーは予め設定された撮影時間に対する撮影の進捗具合（撮影開始からの経過時間の割合）を示すためのものであり、本実施形態においては、撮影開始からの経過時間（進捗具合）に応じて左側から右側へ表示様態が変わる。図７（ａ）−１〜（ａ）−５、（ｂ）−１〜（ｂ）−５は、撮影時間４秒に設定された場合の動画の撮影中の表示部２８の一例を示している。図７（ａ）−１〜（ａ）−５はリプレイ撮影以外の撮影モード、図７（ｂ）−１〜（ｂ）−５はリプレイ撮影が選択された場合の撮影開始からの経過時間に応じた表示部２８をそれぞれ示したものである。図７（ａ）−１、（ｂ）−１の撮影時間ｔ＝０の時の進捗バー７０１及び７０２は白色で表示されている。設定した撮影時間が経過すると、図７（ａ）−５の進捗７１０、（ｂ）−５の進捗７０６に示すように進捗バー７０１、７０２の表示形態は全ての部分が黒色の斜線になる。このように進捗バーのうち経過時間に応じた部分の表示形態を変えることにより設定した撮影時間に対する撮影開始からの経過時間の割合と残りの撮影時間の割合が分かる。進捗具合の表示についてはＳ４１７で後述する。
【００５３】
図６（ｂ）に示す進捗バー６０４のように、リプレイ撮影の進捗バーには区切り線６０４ａが表示される。区切り線は、再生速度を変えて再生する部分の撮影が開始される時点を示すための表示である。図６（ｂ）は撮影時間４秒の場合を示しており、撮影時間に関わらず本実施形態では最後の２秒間の再生速度を変えて再生するので、進捗バー６０４を二分割する位置（再生速度の効果が切り換わる時点）に区切り線６０４ａが表示される。進捗バー６０４のうち区切り線６０４ａを境に左側が再生速度を変えずに再生される部分の撮影期間を示し、右側が再生速度を変えて再生するように効果のかけられる部分の撮影期間を示す。区切り線６０４ａは、進捗バー６０４において効果の切り換わる時点を示す指標であり、効果のかかる期間に関する情報表示である。また、図６（ｃ）の進捗バー６０５は撮影時間５秒の場合、（ｄ）の進捗バー６０６は撮影時間６秒の場合の進捗バーを示したものであり、それぞれ区切り線の位置が異なる。本実施形態では撮影時間４秒の場合について説明しているが、撮影時間５秒、６秒の場合も進捗バーの横幅（長さ、大きさ）は同じである。しかし、撮影時間に関わらず効果をかけて再生する期間は最後の２秒間であるので、撮影時間５秒の場合は区切り線の位置が左から３／５の位置かつ右から２／５の位置に区切り線６０５ａが表示される。進捗バー６０５のうち区切り線６０５ａを境に左側が再生速度を変えずに再生される部分の撮影期間を示し、右側が再生速度を変えて再生するように効果のかけられる部分の撮影期間を示す。なお、本実施形態においては撮影の進捗具合を進捗バーの左から右へ移動するように示すので、最後の２秒を示す区切り線の位置は右から２／５の位置に表示されるが、この限りではない。撮影時間６秒の場合は、区切り線の位置が左から４／６の位置かつ右から２／６の位置に区切り線６０６ａが表示される。進捗バー６０６のうち区切り線６０６ａを境に左側が再生速度を変えずに再生される部分の撮影期間を示し、右側が再生速度を変えて再生するように効果のかけられる部分の撮影期間を示す。このように、Ｓ４１３では撮影時間に応じて区切り線を表示する位置を決定する。区切り線の表示により、ユーザは効果がかかる期間が開始（または終了）するまでの時間長さを把握することができる。
【００５４】
Ｓ４１４では、システム制御部５０は、Ｓ４１３で決定された区切り線とともに進捗バーを表示する。例えば図６（ｂ）に示すように区切り線６０４ａが示された進捗バー６０４を表示する。このように区切り線と共に進捗バーを表示することによりユーザは効果がかかる期間の撮影がいつなのかがわかる。また、他の部分と異なる効果のかかる期間、もしくは他の部分には効果がかからないが特定の期間にのみ効果のかかる期間（合わせて特定の効果のかかる期間とする）の開始のタイミングが分かるので、ユーザは開始のタイミングに合わせて撮影することができる。
【００５５】
また本実施形態では撮影時間のうち最後の２秒間を特定の効果のかかる期間としており、特定の効果のかかる期間の撮影の終了時と動画の撮影の終了時が同じであるため、進捗バーの端と特定の効果のかかる期間の終了点を示す部分が同じである。しかし、動画撮影の終了点と特定の効果のかかる期間の終了点が異なる場合には、特定の効果のかかる期間の終了点をもう１つの区切り線（指標）で表示する。よって、いつまでに効果をかける部分の動画を撮影し終えなければならないかが分かる。またユーザは、撮影を行う際に特定の効果のかかる期間を認識しながら、所望の効果を含む動画が作成されるように撮影を行うことができる。区切り線の位置により撮影時間全体のうち、どの期間（期間の長さや撮影時間における特定の効果のかかる期間の位置）かが分かるので、撮影の流れや構成についても直感的に把握しやすくなる。
【００５６】
区切り線は必ずしも進捗バーの内側に表示しなくてもよく、進捗バーのうち効果がかかる期間の開始点を矢印で示してもよい。表示中の画像に表示アイコンを重畳させたくない、または表示領域が狭い時等には、進捗バーの内側に表示すると画像に重畳する領域が増やさずに効果のかかる期間をユーザに示すことができる。
【００５７】
Ｓ４１５では、システム制御部５０は、進捗バーを表示する。図６（ａ）の進捗バー６０３及び図７（ａ）の進捗バー７０１に示すように再生速度の効果がリプレイ撮影でない場合には、区切り線のない進捗バーが表示される。リプレイ撮影以外の短編動画の撮影においては、途中で再生速度が切り換わることがなく撮影された動画の全ての期間が同じ再生速度で再生される。また、リプレイ撮影でない場合にも、進捗バーの横幅は撮影時間に関わらず等しい。
【００５８】
Ｓ４１６では、システム制御部５０は、動画記録処理を開始する。撮像部２２により得られた画像を動画をとして記録媒体２００に記録する。このときに、設定された再生速度になるように動画の処理をしたうえで動画ファイルを作成してもよいし、撮影された動画をそのままの速度で記録し再生時に設定された速度で再生されるように再生情報を動画と対応させて記録するようにしてもよい。
【００５９】
Ｓ４１７では、システム制御部５０は、撮影時間に応じた幅で進捗バーに進捗具合を表示する。Ｓ４１７においては設定された再生速度の効果に関わらず、設定された撮影時間に応じて進捗具合が決定される。撮影時間が４秒であれば４秒で進捗バーの前幅の表示様態が変わるように、撮影開始から１秒後には１／４の表示形態が変化し、撮影開始から２秒後には２／４の表示形態が変化し、撮影開始から３秒後には３／４の表示形態が変化する。このように、設定された撮影時間に対する撮影開始からの経過時間の割合を示すことで、ユーザは直感的に撮影の進み具合を把握した上で撮影を行うことができる。Ｓ４１３において前述したように図７（ａ）−１〜（ａ）−５、（ｂ）−１〜（ｂ）−５には撮影開始からの経過時間に応じた進捗バーの表示形態の変化を示しており、リプレイ撮影であってもその他の撮影であっても短編動画撮影においては進捗バーが表示される。図７（ａ）−１〜（ａ）−５においては設定された撮影時間に対する撮影開始からの経過時間の割合が分かる。図７（ａ）−２〜（ａ）−５に示す進捗７０７〜７１０はそれぞれ撮影の進捗具合（進捗の割合）を示している。進捗具合を示す進捗バー内の表示は所定時間毎に所定量ずつ進み、経過時間に応じて表示形態が変化する部分の長さが長くなる。また、図７（ｂ）−１から（ｂ）−５においては設定された撮影時間に対する撮影開始からの経過時間と、特定の効果のかかる期間が開始されるまでの割合と、特定の効果のかかる期間が終了するまでの割合が分かる。例えば、図７（ｂ）−２においては、進捗７０３により設定された撮影時間に対して１／４撮影が既に終了しており、特定の効果のかかる期間までの時間が撮影時間全体の後１／４もしくは撮影開始から現在までの経過時間と同じくらいであることがわかる。進捗７０３の右端の部分は動画の撮影開始から現在までの経過時間（すなわち、現時点）を示している。図７（ｂ）−３においては、進捗７０４により設定された撮影時間に対して１／２撮影が既に終了しており、特定の効果のかかる期間がちょうど開始されたことが分かる。このときに、ユーザが効果をかけようとしていたタイミング（被写体の動きなど）が、実際の特定の効果のかかる部分の開始とタイミングがあっていない場合には、ユーザはすぐにタイミングがあっていなかったことを確認することができる。このように区切り線７０２ａを表示することにより、ユーザは撮影が成功したのか否かを作成された動画を見なくても確認することができるので、すぐに動画の取り直しをすることができる。図７（ｂ）−４においては、進捗７０５により設定された撮影時間に対して３／４撮影が既に終了しており、現在特定の効果のかかる期間の撮影がされている途中であり、さらに特定の効果のかかる期間の撮影の終了まで撮影時間の１／４であることが分かる。よって、ユーザは残りの期間に効果をかけたい部分の撮影を終了させることで所望の効果を有した動画を作成できることが分かる。図７（ｂ）−５においては、進捗７０６により設定された撮影時間の撮影が終了したことが分かる。このように、リプレイ撮影においては進捗バー及び区切り線の表示と、進捗具合の表示によりユーザは撮影の進捗具合と特定の効果のかかる期間を把握することができる。
【００６０】
Ｓ４１８では、システム制御部５０は、ＲＥＣボタン７６が押下されたか否かを判定する。押下されたと判定した場合は、Ｓ４２２へ進み、そうでない場合は、Ｓ４１９へ進む。
【００６１】
Ｓ４１９では、システム制御部５０は、Ｓ４１０から計測開始された撮影時間ｔが設定された撮影時間経過したか否かを判定する。設定された撮影時間経過したと判定された場合は、Ｓ４２０へ進み、そうでない場合は、Ｓ４１７へ戻る。撮影時間が経過するまで、もしくは動画の撮影が中止されるまではＳ４１７において進捗表示をし続ける。
【００６２】
Ｓ４２０では、システム制御部５０は、撮影中マークを非表示にして動画の撮影中ではないこと、撮影が終了したことを示す。このときに、進捗バー（非表示にしていなかった場合は）を非表示にする。
【００６３】
Ｓ４２１では、システム制御部５０は、動画記録終了処理を行う。撮影した動画の圧縮処理、サムネイルの作成等を行い、撮影日時と共に記録する。
【００６４】
Ｓ４２２では、システム制御部５０は、進捗バーを非表示にする。
【００６５】
Ｓ４２３では、Ｓ４１０の撮影開始からの経過時間が２秒以上であるか否かを判定する。撮影開始から２秒以上経過したと判定した場合は、Ｓ４２０へ進み、そうでない場合は、２秒経過するまで待つ。２秒経過したことに応じてＳ４２０へ進み、撮影中マークを非表示にする。本実施形態においては撮影開始から２秒経過するまでは、撮影の終了指示を受け付けてもすぐに動画撮影を終了しない。これは再生速度を倍速等に変更可能である場合に、あまりに短い時間の動画が撮影されると撮影時間よりもさらに短い時間で再生される動画ファイルが完成することになるためである。あまりに短い再生時間の動画では、ユーザは後で何を撮影したものか判定しにくいことがある。また、誤ってユーザが連続的にＲＥＣボタン７６を押下した（撮影停止指示をした）としても最低２秒間は撮影が継続されるので、撮影内容を確認することができる。
【００６６】
Ｓ４２４〜Ｓ４４４では、効果項目の設定部（設定画面）が表示されている場合のフローである。
【００６７】
Ｓ４２４では、システム制御部５０は、効果項目の設定部を表示部２８に表示する。図５（ｂ）−１に効果項目の設定画面の表示例を示す。効果項目の設定部５０８のうち、撮影時間設定５１０は５秒間、再生速度設定５１１はリプレイが現在設定されていることを示している。また、撮影時間設定５１０の左部分にはコントローラホイール７３を示す表示アイコンが表示されており、コントローラホイール７３への操作に応じて撮影時間設定が変更可能であることを示している。同様に再生速度設定５１１の左部分にはメインダイヤル７７を示す表示アイコンが表示されており、メインダイヤル７７への操作に応じて再生速度設定が変更可能であることを示している。なお、設定部５０８が表示されている場合にも図５（ｂ）−１に示すようにライブビュー画像５０３は表示されるが、設定部５０８のみを表示するようにしてもよい。
【００６８】
Ｓ４２５では、システム制御部５０は、コントローラホイール７３の回転操作が行われたか否かを判定する。回転操作がされたと判定した場合は、Ｓ４２６へ進み、そうでない場合は、Ｓ４２７に進む。
【００６９】
Ｓ４２６では、システム制御部５０は、現在設定されている撮影時間からコントローラホイール７３の回転方向に応じた方向にある設定値に撮影時間を変更する。図５（ｂ）−１に示す撮影時間５秒が表示されている時に、コントローラホイール７３を左回転すると撮影時間は４秒に設定され、右回転すると撮影時間は５秒に設定される。撮影時間が４秒になった場合は、図５（ｂ）−２の効果項目の設定部５０８の撮影時間設定５１２のように４秒間であることを示す表示に切り換わる。このとき設定された再生速度の効果を説明する説明表示５１５を表示するようにしてもよい。
【００７０】
Ｓ４２７では、システム制御部５０は、メインダイヤル７７の回転操作が行われたか否かを判定する。回転操作がされたと判定した場合は、Ｓ４２８へ進み、そうでない場合は、Ｓ４２９へ進む。
【００７１】
Ｓ４２８では、システム制御部５０は、現在設定されている再生速度からメインダイヤル７７の回転方向に応じて設定値に再生速度を変更する。図５（ｂ）−１に示す再生速度がリプレイの時に、メインダイヤル７７を左回転すると再生速度は倍速に設定され、右回転するとスローに設定される。再生速度が倍速になった場合は、図５（ｂ）−２の効果項目の設定部５０８の再生速度設定５１３に示すように倍速であることを示す表示に切り換わる。
【００７２】
Ｓ４２９では、システム制御部５０は、ＲＥＣボタン７６が押下されたか否かを判定する。ＲＥＣボタン７６が押下されたと判定した場合は、Ｓ４３１へ進み、そうでない場合は、Ｓ４３０へ進む。
【００７３】
Ｓ４３０では、システム制御部５０は、ＳＥＴボタン７４が押下されたか否かを判定する。ＳＥＴボタン７４が押下されたと判定した場合は、Ｓ４０１へ戻り、そうでない場合は、Ｓ４３１へ進む。
【００７４】
Ｓ４３１〜Ｓ４４２の処理は、Ｓ４１０〜Ｓ４２１の処理を同様の処理である。このように本実施形態においては効果項目の設定中にも動画の撮影を行うことができる。また、効果項目の設定部が表示されている状態で動画撮影が開始された場合には、設定されている撮影時間が経過して動画の撮影が終了したことに応じて、再び効果項目の設定画面に戻る。このように、撮影待機画面だけでなく設定画面においても、動画の撮影を開始できるので、ユーザは素早く効果項目を変更し、次のリプレイ撮影に移行することができる。
【００７５】
以上、説明した実施形態によれば、特定の効果のかかる期間のある動画の撮影において、特定の効果のかかる期間の撮影がいつ行われるのか分かる。撮影期間のうち一部の期間に特定の効果をかけるような動画の撮影においては、特定の効果のかかる期間にタイミングを合わせた撮影を行うことによりユーザが面白いと感じる動画を作成することができる。本実施形態で示した区切り線がない場合にはユーザは特定の効果のかかる期間が分からず、動画撮影後に再生をするまで撮影した動画が所望のタイミングで効果がかかったものになったか否か分からない。しかし、特定の効果のかかる期間が開始する時期がいつであるかを進捗バーにおいて表示することにより、ユーザは特定の効果のかかる期間の開始を直感的に把握し、所望の動画を作成しやすくなる。さらに、ユーザは進捗バーのうち効果のかかる期間を示す部分の割合により効果のかかる期間の長さを把握することができる。また、効果のかかる期間の撮影が開始した後に、効果のかかる期間の撮影があとどのくらいで終了するのかを進捗バーの表示により直感的に把握することができるので、ユーザは効果のかかる期間の撮影が終了するまでに撮影を終えるように撮影を進めることができる。よって、ユーザは所望のタイミングで効果がかかるように動画の撮影を行いやすくなる。
【００７６】
また、予め設定された撮影時間に関わらず、時間ではなく進捗バーのうち撮影開始からの経過時間に応じた部分の表示形態を変えることにより撮影の進捗具合を表示する。よって、ユーザは数値を見て判断をせずにより感覚的に撮影の経過時間と効果のかかる期間の時機を把握することができる。
【００７７】
なお、動画の撮影の開始と効果のかかる期間の開始とを同時にして、設定した撮影時間が経過する前に効果のかかる期間が終了するような場合にも区切り線を表示することにより、ユーザは効果のかかる期間を把握することができる。
【００７８】
なお、リプレイ撮影以外の場合にも、撮影される動画には効果（再生速度の変更）がかけられているが進捗バーに特定の効果のかかる部分を示す区切り線は表示しないことを説明した。撮影時間全体に対して同様の効果がかけられるような場合には、区切り線でなくても進捗バー全体の表示形態を変えてもよい。つまり、通常の再生速度（１倍）のときには進捗バー内部を灰色で表示し、倍速は黒、スローは白色のように異なる色で表示するようにしてもよい。このように表示をすることで、撮影時間全体で部分的に特定の効果のかかる期間がないことと、撮影時間全体にかかる効果があることをユーザは把握することができる。
【００７９】
なお、本実施形態においては設定可能な撮影期間を４秒、５秒、６秒のいずれかであるとしたが、これに限らず１０秒や１分といった期間でもよい。また、撮影期間が予め設定されていなくても所定の効果のかかる期間が定まっていれば、所定の効果のかかる期間の撮影が開始される時機を表示するようにしてもよい。例えば、撮影開始の１０秒後から所定の効果のかかる期間が開始されることが予め設定されており、ユーザが終了指示を行ったことに応じて所定の効果のかかる期間を終了させるとともに動画撮影を終了させてもよい。このとき、進捗バーは撮影時間が長くなるほど表示の長さが変化する、または進捗具合の進み方が狭くなる。なお、所定の効果のかかる期間と動画撮影が終了するタイミングは必ずしも同じでなくてもよい。
【００８０】
また、本実施形態においては所定の効果として、最後の２秒間に撮影された動画に逆倍速再生とスロー再生をする再生速度の効果をかけるとしたがこれに限らない。例えば、一部の期間にのみスロー再生を行う場合や色彩の変更、残像効果をかける場合等の他の効果であっても本発明は有効である。また、最後の２秒間以外は所定の効果をかけないことを説明したが、これに限らず最後の２秒間以外の期間にも効果をかけるようにしてもよい。例えば、最初の数秒間はスロー再生される期間であり、最後の２秒間にリプレイ効果がかかって再生されるような場合にも、かかる効果が切替る部分を表示することによりユーザはリプレイ効果かかる期間に合わせて撮影を行うことができる。また、リプレイ効果のかかる部分以外の部分は他の効果のかかる部分であるから、他の効果のかかる部分に対してもその効果に合わせた撮影を行うようにすることができる。
【００８１】
なお、本実施形態では区切り線を進捗バー中に引くことを説明したが、進捗バーの表示色（表示形態）を途中で変えることで効果のかかる期間の撮影がいつ行われるのか示してもよい。例えば、進捗バーの表示色のうち、効果のかかる期間の撮影期間を示す部分は黄色、他の部分は白色というようにしてもよい。また、進捗バーの効果のかかる期間の撮影期間を示す部分の周辺を黄色の線で囲い、他の部分は白色の線で囲うようにしてもよい。
【００８２】
［第１実施形態の変形例］
第１実施形態においては、リプレイ撮影において撮影時間の最後の２秒間の１つの期間にのみ再生速度の変更を行うことを説明したが、本発明は以下に説明する場合にも有効である。図８（ａ）、（ｂ）、（ｃ）−１、（ｃ）−２には、本発明を適用可能である他の実施形態の再生速度の効果がリプレイに設定された動画の撮影中の表示例を示している。図８（ａ）は、撮影された動画の一部かつ途中に特定の効果のかかる期間がある場合の進捗バーの表示例を示している。図８（ａ）の進捗バー８０１のように特定の効果のかかる期間の開始位置８０２と終了位置８０３で囲まれる部分の表示形態（表示色）を他の部分と変えることでユーザは特定の効果のかかる期間を把握することができる。図８（ｂ）には、撮影時間の間に逆倍速再生とスロー再生される部分が２つの期間ある場合の表示例を示している。このように撮影期間の間に２回の特定の効果のかかる期間がある場合にも図８（ｂ）の進捗バー８０４の点線で囲うように表示されている第一期間８０５と第二期間８０６を示すことで、ユーザは複数ある特定の効果のかかる期間を把握することができる。なお、特定の効果のかかる期間の表示は上述したように表示色を変えるようにしてもよいし、点線で囲うようにしてもよいし、他の表示形態でもよい。また、撮影の進捗具合を示す表示とは異なる表示形態にすることで、撮影の進捗具合と特定の効果のかかる期間についての進捗具合の両方をユーザは直感的に把握することができる。
【００８３】
次に、進捗バー以外の表示で特定の効果のかかる期間を示す表示について説明する。図８（ｃ）−１、（ｃ）−２には、効果開始までの期間を実際の時間で示す場合の表示例を示す。図８（ｃ）−１は、特定の効果のかかる期間が開始するまでが１秒であることを示しており、特定の効果のかかる期間が近付くほどに表示部２８に表示される時間が短くなる。また、図８（ｃ）−２は特定の効果のかかる部分の動画の撮影期間において、特定の効果のかかる期間が残り１秒であることを示している。図８（ａ）、（ｂ）、（ｃ）−１、（ｃ）−２は例えば、表示部２８がデジタルカメラ１００本体に対して回転可能であり、表示部２８を被写体に向けて撮影をするような場合に有効である。図８（ｃ）−１のように被写体から見える大きさで特定の効果のかかる期間が開始されるまでの時間をカウントダウン表示（時間表記）し、さらに図８（ｃ）−２のように特定の効果のかかる期間の残り時間を異なる表示形態でカウントダウン表示する。これにより、特定の効果のかかる期間の開始前であるか期間中であるかをユーザは容易に認識することができ、さらに特定の効果のかかる期間の開始までの時間と、期間が終了するまでの時間を把握することができる。
【００８４】
＜第２実施形態＞
第２実施形態は、デジタルカメラ１００の構成に関しては第１実施形態の図１及び図２と同様である。第１実施形態では、効果をかけて再生される部分を表示により示したが、第２実施形態においては効果をかけて再生される動画の部分の撮影の期間を音で示すことを説明する。本実施形態は、被写体が表示部２８の情報を認識できない場合や、撮影者が被写体に合わせて動画撮影を行うのではなく被写体が動いて動画撮影を行うような場合に有効である。また、第１実施形態と同様に撮影期間のうち最後の２秒間に逆倍速再生とスロー再生される部分の撮影期間がある場合について説明する。図９を用いて特定の効果のかかる期間の音声による通知方法のフローを説明する。図９のフローは、デジタルカメラ１００に電源が入り、モードダイヤル６０への回転操作により動画モードに設定され、さらにＦＵＮＣボタン４０が押下され短編動画が選択されると開始する。この処理は、不揮発性メモリ５６に記録されたプログラムをシステムメモリ５２に展開してシステム制御部５０が実行することで実現する。
【００８５】
Ｓ９０１〜Ｓ９１１は、図４のＳ４０１〜Ｓ４１１と同様の処理である。
【００８６】
Ｓ９１２では、システム制御部５０は、図４のＳ４１６と同様に動画記録処理を開始する。
【００８７】
Ｓ９１３では、システム制御部５０は、設定中の再生速度の効果がリプレイであるか否かを判定する。リプレイであると判定した場合は、Ｓ９１４へ進み、そうでない場合は、Ｓ９２２へ進む。
【００８８】
Ｓ９１４では、システム制御部５０は、ＲＥＣボタン７６が押下されたか否かを判定する。押下されたと判定した場合は、Ｓ９２５へ進み、そうでない場合は、Ｓ９１５へ進む。
【００８９】
Ｓ９１５では、システム制御部５０は、特定の効果のかかる部分の撮影期間まで２秒前になった（撮影時間が４秒の場合は、ｔ＝２秒になったか）か否かを判定する。２秒前になったと判定した場合は、Ｓ９１６へ進み、そうでない場合は、Ｓ９１４へ戻り、２秒経過するかＲＥＣボタン７６の押下により動画の撮影が終了されるかの何れかを待つ。
【００９０】
Ｓ９１６では、システム制御部５０は、発音部５５により第一発音を開始する。第一発音は１秒間行われる。
【００９１】
Ｓ９１７では、システム制御部５０は、Ｓ９１４と同様にＲＥＣボタン７６が押下されたか否かを判定する。押下されたと判定した場合は、Ｓ９２５へ進み、そうでない場合は、Ｓ９１８へ進む。
【００９２】
Ｓ９１８では、システム制御部５０は、特定の効果のかかる部分の撮影期間まで１秒前になったか否かを判定する。１秒前になったと判定した場合は、Ｓ９１９へ進み、そうでない場合は、Ｓ９１７へ戻り、１秒経過するかＲＥＣボタン７６の押下により動画の撮影が終了されるかの何れかを待つ。
【００９３】
Ｓ９１９では、システム制御部５０は、発音部５５により第二発音を開始する。第二発音は１秒間行われる。第二発音は第一発音とは発音形式が異なる、または音量が異なる。例えばセルフタイマーのように所定期間空けて一定の音の発音を繰り返すような場合に、撮影に近づくほど発音の間隔が短くなるようにすることで発音形式を変える。
【００９４】
Ｓ９２０では、システム制御部５０は、Ｓ９１４と同様にＲＥＣボタン７６が押下されたか否かを判定する。押下されたと判定した場合は、Ｓ９２５へ進み、そうでない場合は、Ｓ９２１へ進む。
【００９５】
Ｓ９２１では、システム制御部５０は、特定の効果のかかる部分の撮影期間中であるか否かを判定する。特定の効果のかかる部分の撮影期間中であると判定された場合は、Ｓ９２２へ進み、そうでない場合は、Ｓ９２０へ戻る。
【００９６】
Ｓ９２２では、システム制御部５０は、発音部５５により第三発音を開始する。第三発音は特定の効果のかかる期間の撮影中である２秒間行われる。第三発音は、第一発音または第二発音とは異なる。第一発音、第二発音を間欠的に発音する場合には第三発音を２秒間間隔が空かないように発音してもよいし、期間が終了するまでの残り時間を発声するようにしてもよい。
【００９７】
Ｓ９２３〜Ｓ９２６は、図４のＳ４１８〜Ｓ４２１と同様の処理である。
【００９８】
なお、発音でなくても発光部５７による発光によって特定の効果のかかる期間を通知するようにしてもよい。つまり、リプレイ効果が設定された場合には、効果の開始される２秒前に所定間隔で間欠的に発光を１秒間行い、１秒前になったらさらに所定間隔が短くなるように間欠的に発光を行う。セルフタイマーと同様の通知方法にするとユーザはより時間間隔を掴みやすくなる。また、特定の効果のかかる期間の撮影中には発光の間隔が空かないように発光し続けるようにする。被写体であるユーザは特定の効果のかかる期間を認識し、特定の効果のかかる期間に合わせて撮影を行おうとしている場合には、開始のタイミングさえ伝わればよい。また、発光すると撮影に影響のある場合には発音による通知を行い（発音制御）、音声も含めた撮影を行う場合には発光による通知（発光制御）を行うようにしてもよい。
【００９９】
以上、説明した実施形態によれば、特定の効果のかかる期間のある動画の撮影において、特定の効果のかかる期間の撮影がいつ行われるのか分かる。撮影期間のうち一部の期間に特定の効果をかけるような動画の撮影においては、特定の効果のかかる期間に合わせて撮影を行うことによりユーザが面白いと感じる動画を作成することができる。効果のかかる期間を通知しない場合にはユーザは特定の効果のかかる期間が分からず、動画撮影後に再生をするまで撮影した動画が所望の効果を有するものになったか否か分からない。しかし、特定の効果のかかる期間が開始する時期がいつであるかを通知方法の変化により、ユーザは特定の効果のかかる期間の開始を直感的に把握し、効果のかかる時機を逃さずに所望の動画を作成しやすくなる。よって、ユーザは所望のタイミングで効果がかかるように動画の撮影を行いやすくなる。
【０１００】
なお、第２実施形態においても第１実施形態と同様に進捗バーと区切り線の表示を行ってもよい。
【０１０１】
また、発光による通知においても同様に特定の効果のかかる期間のある動画の撮影において、特定の効果のかかる期間の撮影がいつ行われるのか分かる。
【０１０２】
なお、上述した実施形態ではデジタルカメラ１００において撮影される動画について通知を行うことを説明したが、これに限らずリモート撮影を行う場合にも本発明は有効である。つまり、離れた位置にある撮像装置が行っている撮影を表示パネル等において確認する場合に、効果のかかる期間がいつかが分かると撮影の制御や被写体に対して指示を行うことができる。
【０１０３】
また、所定の効果には、動画の終了時に１つの動画が終了したことを示すためにかける効果、例えばフェードアウトやシャッターアニメーションは含まれない（区切り線や発音・発光の対象としない）。動画の終了を示す効果をかける場合には、前記効果のかかる期間を示す表示をしない。前述した区切り線の表示により、撮影時間において所望の効果のかかる所定の期間に合わせて動画の撮影を行えるようにするので、撮影の終了を示す表示とは異なる。
【０１０４】
なお、電子機器の制御は１つのハードウェアが行ってもよいし、複数のハードウェアが処理を分担することで、機器全体の制御を行ってもよい。
【０１０５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０６】
また、上述した実施形態においては、本発明をデジタルカメラ１００に適用した場合を例にして説明したが、これはこの例に限定されず動画の撮影において特定の効果をかける時機を通知することができるような電子機器であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【０１０７】
（他の実施形態）
本発明は、以下の処理を実行することによっても実現される。即ち、上述した実施形態の機能を実現するソフトウェア（プログラム）をネットワーク又は各種記録媒体を介してシステム或いは機器に供給し、そのシステム或いは装置のコンピュータ（又はＣＰＵやＭＰＵ等）がプログラムコードを読み出して実行する処理である。この場合、そのプログラム、及び前記プログラムを記憶した記録媒体は本発明を構成することになる。
【図１】
0006418940.tif 000002
【図２】
0006418940.tif 000003
【図３】
0006418940.tif 000004
【図４】
0006418940.tif 000005
【図５】
0006418940.tif 000006
【図６】
0006418940.tif 000007
【図７】
0006418940.tif 000008
【図８】
0006418940.tif 000009
【図９】
0006418940.tif 000010